(57)【要約】【課題】本発明は、磁場制御型流体ポンプであり、電池、真空シール、軸受けなど消耗品が必要ない、構造簡単のため医療用埋め込むことが出来る。【解決手段】本発明は羽根を使わず、磁性流体を羽根として、磁場の制御により回転ポンプであり、連続的、高速かつ正確に、比較的微少量の流体の送り出しが出来る、実用性の磁場制御型流体ポンプを提供することを課題とする。このポンプは真空シールや軸受けの摩擦による交換の必要がない。そして構造簡単のため小型化、軽量化及び医療用埋め込むことが可能になる。医療分野にも適した安全性が高く高精度な小型ポンプを低コストで提供することが出来る。【選択図】図１
2010013956.tif 000002
【特許請求の範囲】
【請求項１】
この請求項目は羽根状の回転子を使わず、磁性流体を回転子として外部磁場の回転によって同時に回転することが出来る。磁性流体を回転する際に入り口部分の圧力を減少し，吸引効果があり，特定の液体を一定の方向に送り出すことが可能になる。
【請求項２】
前記磁性流体を羽根として磁場制御型流体ポンプの構成方法。
【請求項３】
請求項1記載の磁場制御型流体ポンプでは真空シール及び軸受けの摩擦による消耗品の交換が必要なし、構造簡単、液体の漏れの可能性すくないことである。
【請求項４】
請求項1記載の磁場制御型流体ポンプでは構造簡単のため制御し易い、医療分野にも適した安全性が高く高精度な小型ポンプである。
【請求項５】
請求項1記載の磁場制御型流体ポンプでは構造簡単のため小型化、軽量化及び医療用埋め込む遠距離制御することが可能である。
【発明の詳細な説明】
【技術分野】
【０００１】
本発明は、産業用・医療用に用いる、磁場制御型流体ポンプである。このポンプは構造簡単のため小型化、軽量化及び医療用埋め込むことが可能になる。また、真空シールや軸受けの摩擦による交換の必要がない。医療分野にも適した安全性が高く高精度な小型ポンプを低コストで提供することが出来る。手術時等に用いる体外循環回路及び治療時の血液、試薬などの流体を、回転体を回転させることによって搬送するための医療用ポンプに関する。
【背景技術】
【０００２】
磁性材料を用いて、医療への応用が多く使用しており、医療現場において、患者や送液ラインに対し、所定の速度およびタイミングで薬液や栄養剤、血液等を送液する目的で、輸液チューブを輸液ポンプに装着してなる輸液システムが利用されている。現在の医療用ポンプでは電池や真空シールや軸受けの摩擦による消耗品の交換が必要である。また、埋め込む用小型ポンプの寸法が大きい、制御が難い、消耗品交換する際に手術を必要など問題がある。
【０００３】
医療用ポンプの消耗品の交換について、公開された医療用ポンプの関連出願は特許出願平６−１９８８５１に示す。その特許は、遠心式医療用ポンプにおけるシール手段や軸受けの動作状態を目視にて監視可能とする、もしくは、摩耗状態検出手段を設けすることである。
【０００４】
埋め込む用小型ポンプについて、公開した医療用流体ポンプの関連出願は特許出願平７−１７３８１２に示す。その特許は、医療用流体ポンプは、患者の体内に直接埋め込むため特に、薄型化を実現することである。
【０００５】
そこで、本発明者らは特許出願２００６-１３０８４４にサイズが8nm程度までの磁性超微粒子の創製法を提案し、界面活性剤のコーティングより油及び水に分散する方法についての研究を行った。
【０００６】
また、本発明者らは自分らが作製した磁性超粒子と磁性流体を用いて磁気制御型ポンプの羽根として医療用ポンプの開発実験を行われている。
【特許文献１】特出平６−１９８８５１公報
【特許文献２】特出平７−１７３８１２公報
【特許文献３】特出２００６-１３０８４４公報
【発明の開示】
【発明が解決しようとする課題】
【０００７】
現在の医療用ポンプでは電池や真空シールや軸受けの摩擦による消耗品の交換が必要である。埋め込む用小型ポンプの消耗品交換する際に手術を必要であり、また、装置の構造が複雑、寸法が大きい、制御が難いなど問題がある。
【０００８】
なお、本発明は構造簡単真空シールや受け軸など消耗品必要ない、外部磁気制御できるポンプの開発の可能性に着目する。
【０００９】
また、本発明は構造簡単のためポンプの小型化、軽量化が可能になる。外部磁場制御のためコントロールを簡単に実現することが可能になる。
【課題を解決するための手段】
【００１０】
従来医療用ポンプでは、羽根、真空シール、軸受けなど複雑な構造が必要である。本発明は、磁性流体を羽根として、外部磁場を制御する小型流体ポンプである。このポンプは構造簡単のため小型化、軽量化及び医療用埋め込むことが可能になる。また、真空シールや軸受けの摩擦による交換の必要がない。医療分野にも適した安全性が高く高精度な小型ポンプを低コストで提供することが出来る。手術時等に用いる体外循環回路及び治療時の血液、試薬などの流体を、回転体を回転させることによって搬送するための医療用ポンプに応用する。
【発明の効果】
【００１１】
本発明は、以上説明したように、医療用流体ポンプの構造において、従来構造より簡単の構造を持ち、消耗品少ない、患者の体内患部近傍に直接埋め込むことができることにより、以下の効果を有する。
（１）構造簡単真空シールや受け軸など消耗品の交換が必要ない、外部磁気制御のため、再手術の必要がなくなる。
（２）構造簡単のため、ポンプの小型化、軽量化が可能になる。そして、患者の体内患部近傍に直接埋め込むことで、小量の薬で治療が可能となる。
【発明を実施するための最良の形態】
【００１２】
本発明は、磁性流体を羽根として、外部磁気制御小型流体ポンプである。このポンプは構造簡単、電池、真空シール、軸受けなど消耗品は必要がないのでコストが安い、再手術が必要なくなる。医療用埋め込みポンプにも適した安全性が高く高精度な小型ポンプを提供することが出来る。
【実施例１】
【００１３】
本提案の効果を証明するため図１のように磁気制御型液体ポンプを作製した。特許出願2006-130844による合成した磁性超微粒子及び磁性流体をポンプの内部空間中に入れって、下の希土類永久磁石の回転により磁性流体同時に回転することが出来る。そして、内部空間中にヘマトポルフィリン溶液を入れって、溶液少ないため入口と出口を止めて、ブルーレーザ（波長370nm）を用いてレーザ照射実験を行った。その結果は富士フイルムプレスケール専用圧力換算ソフトFPS-307Eを用いて色濃度を測定した。まず照射しない試料の色濃度を測定して、5min照射して測定の結果は色濃度を薄くなる。そして外部磁場による磁性流体の回転により色濃度また深くなる。繰り返し実験を測定の結果を図２に示す。その中に15minところデータでは磁性流体の色の影響と思う。この実験では磁気制御型液体ポンプを作製することが可能であることを証明した。また、磁場制御型流体ポンプを埋め込んだおよび外付けした患者の略図を図3に示す。
【産業上の利用可能性】
【００１４】
本提案は手術時等に用いる体外循環回路及び治療時の血液、試薬などの流体を、回転体を回転させることによって搬送するための医療用ポンプを使用することが可能である。
【図面の簡単な説明】
【００１５】
【図１】医療用磁場制御型流体ポンプの概要図である。
【００１６】
【図２】レーザの照射によるヘマトポルフィリン溶液の変色実験を用いてポンプの回転効果図である。
【００１７】
【図３】本発明の磁場制御型流体ポンプを埋め込んだまた外付けした患者の略図である。
【符号の説明】
【００１８】
１    ポンプのカバー
２    内部空間
３    磁性流体
４    液体の入口
５    液体の出口
６    入口弁
７    外部永久磁石（あるいは電磁石）
【図１】
2010013956.tif 000003
【図２】
2010013956.tif 000004
【図３】
2010013956.tif 000005